(57)【特許請求の範囲】
【請求項１】
ユーザ機器（ＵＥ）の装置であって、
非セキュアネットワークのアクセスポイント（ＡＰ）を介して第３世代パートナーシッププロジェクトロングタームエボリューション（３ＧＰＰ  ＬＴＥ）ネットワークと通信するように構成された送受信機と、
処理回路であって、
ＵＥがＶＰＬＭＮ（visited  public  land  mobile  network）にローミングし、前記ＡＰに接続しようと試みているときに、接続しようと試みるＨＰＬＭＮ（home  public
land  mobile  network）進化型パケットデータゲートウェイ（ｅＰＤＧ）(ＨｅＰＤＧ)及びＶＰＬＭＮ  ｅＰＤＧ（ＶｅＰＤＧ）のうちのいずれかについて示すｅＰＤＧ選択情報を取得し、
前記送受信機を設定して、前記送受信機が前記ｅＰＤＧ選択情報によって示される前記ＨｅＰＤＧ及び前記ＶｅＰＤＧのうちの１つに接続するように、構成された処理回路と、を含み、
前記送受信機が無線ローカルエリアネットワーク（ＷＬＡＮ）アクセスネットワーククエリプロトコル（ＡＮＱＰ）に従って前記ＡＰを介して前記ｅＰＤＧ選択情報を取得するように設定されるとき、前記処理回路は、
前記ＡＰへの送信のためのＡＮＱＰクエリを実行することであって、該ＡＮＱＰクエリは、前記ＵＥへのＡＮＱＰ応答がジェネリックコンテナを使用することを示す情報ＩＤフィールドを含み、該ジェネリックコンテナは、該ジェネリックコンテナのバージョンを示すバージョンフィールドと、ヘッダ長フィールドの長さの後のオクテット数を定義する該ヘッダ長フィールドと、複数の情報要素識別子（ＩＥＩ）を含むペイロードフィールドとを含む、実行することと、
前記ＡＰから前記ＡＮＱＰ応答を受信することであって、前記ＡＮＱＰ応答は、ＷＬＡＮネットワークによってサポートされたＰＬＭＮ（public  land  mobile  network）識別子のリストと、どのオペレータがＳ２ｂをサポートし、１つ以上のｅＰＤＧが配置されているか、を含む、受信することと、
をするように構成された、装置。
【請求項２】
前記ｅＰＤＧ選択情報は、メモリに記憶された設定ファイル内の事前設定された情報であって、前記ｅＰＤＧ選択情報は、ｅＰＤＧのリスト及び選択ルールを含む、請求項１に記載の装置。
【請求項３】
前記処理回路は、
前記送受信機を設定して、前記送受信機がＡＮＤＳＦ（Access  Network  Discovery
and  Selection  Function）サーバから前記ｅＰＤＧ選択情報を取得するように、さらに構成された、請求項１に記載の装置。
【請求項４】
前記ｅＰＤＧ選択情報は、前記ｅＰＤＧ選択情報が動的情報か静的情報かに関係なく、ＡＮＤＳＦ管理オブジェクト（ＭＯ）を含む、請求項３に記載の装置。
【請求項５】
前記ｅＰＤＧ選択情報は、メモリに記憶された無線アクセスネットワーク（ＲＡＮ）ルールを使用して選択され、
前記ｅＰＤＧ選択情報は、ｅＰＤＧのリスト及び選択ルールを含む、請求項１に記載の装置。
【請求項６】
前記ＵＥはさらにメモリを含み、
前記ｅＰＤＧ選択情報は、前記メモリに記憶された設定ファイル内の事前設定された情報であり、
前記処理回路は、
前記送受信機を設定して、前記送受信機がサーバから前記ＡＰを介してｅＰＤＧ選択情報を動的に取得するようにし、
前記ｅＰＤＧ選択情報を動的に取得することができない場合、前記メモリから前記ｅＰＤＧ選択情報を取得するように、さらに構成された、請求項１に記載の装置。
【請求項７】
前記処理回路は、
前記送受信機を設定して、前記送受信機がＡＮＤＳＦ（Access  Network  Discovery
and  Selection  Function）サーバを使用してＡＰを介して前記ｅＰＤＧ選択情報を動的に取得するようにし、
前記送受信機を設定して、前記送受信機が前記ｅＰＤＧ選択情報を前記ＡＮＤＳＦサーバから取得することができない場合、前記ＷＬＡＮ  ＡＮＱＰを使用して前記ｅＰＤＧ選択情報を動的に取得するように、さらに構成された、請求項６に記載の装置。
【請求項８】
（ａ）前記ＵＥがローミングしていないと決定に応答して、前記処理回路は、
前記ＨｅＰＤＧ及びドメインネームサーバ（ＤＮＳ）ベースのメカニズムの完全修飾ドメイン名（ＦＱＤＮ）を使用してインターネットプロトコル（ＩＰ）アドレスを取得し、
前記送受信機を設定して、前記送受信機が前記ＩＰアドレスを使用して前記ＡＰを介して前記ＨｅＰＤＧに接続する、ようにさらに構成され、
（ｂ）前記ＵＥが前記ＶｅＰＤＧに接続することを決定に応答して、前記ＶＰＬＭＮに基づいて完全修飾ドメイン名（ＦＱＤＮ）を作成し、
前記ＶｅＰＤＧのＦＱＤＮに基づいて前記ＶｅＰＤＧに接続するのであって、
前記（ａ）及び前記（ｂ）のうちの少なくとも１つが実行される、請求項１に記載の装置。
【請求項９】
前記ｅＰＤＧ選択情報が動的情報又は静的情報を含むかどうかに関係なく、前記ｅＰＤＧ選択情報は、ＨＰＬＭＮポリシーが優先されず、複数の順位付けされたＶＰＬＭＮを含むリストを含む、請求項１に記載の装置。
【請求項１０】
前記処理回路は前記送受信機を設定して、前記送受信機が、
前記リストのうちの前記複数の優先順位付けされたＶＰＬＭＮの最高優先順位ＶＰＬＭＮの完全修飾ドメイン名（ＦＱＤＮ）を作成し、
ドメインネームサーバ（ＤＮＳ）メカニズムを使用して、前記最高優先順位ＶＰＬＭＮのｅＰＤＧのインターネットプロトコル（ＩＰ）アドレスを取得し、
取得された前記ＩＰアドレスを使用して前記ＡＰを介して最高優先順位ＰＬＭＮのｅＰＤＧに接続する、
ようにさらに構成された、請求項９に記載の装置。
【請求項１１】
前記ｅＰＤＧ選択情報は、HPLMN_ePDG_Preferenceフラグを含み、
前記処理回路は、前記ＵＥがローミングしているとの決定に応答して、前記ＵＥがHPLMN_ePDG_Preferenceフラグの設定に依存して、前記ＶｅＰＤＧを使用することを前記ＨＰＬＭＮが指示したかどうかを決定するようにさらに構成された、請求項１に記載の装置。
【請求項１２】
前記処理回路は、
前記ＵＥがいかなるＰＬＭＮにも接続することができないと決定し、
前記ＵＥがいかなるＰＬＭＮにも接続することができないとの決定に応答して、特定ＰＬＭＮに対応するデフォルト完全修飾ドメイン名（ＦＱＤＮ）を前記ｅＰＤＧ選択情報から抽出し、
前記デフォルトＦＱＤＮに基づいて前記ＡＰを介して前記特定ＰＬＭＮに対応する前記ｅＰＤＧに接続する、ようにさらに構成された、請求項１に記載の装置。
【請求項１３】
前記処理回路は、
ボイスオーバＷｉＦｉ（ＶｏＷｉＦｉ）サービスが前記ＵＥによって望まれているとの決定に応答して、
前記ＶｏＷｉＦｉサービスの使用を許可する前記ＶＰＬＭＮと前記ＨＰＬＭＮとの間のローミング契約、及び
前記ＶＰＬＭＮと前記ＨＰＬＭＮの間のローミング契約がＶｏＷｉＦｉサービスの使用を許可する場合、ＶｏＷｉＦｉサービスが前記ＶＰＬＭＮによって配備され、有効であるかどうか、に基づいて、ＨｅＰＤＧ又はＶｅＰＤＧのうちのいずれかに接続するかを決定するように構成された、請求項１に記載の装置。
【請求項１４】
前記送受信機と前記ＡＰとの間で通信を送信及び受信するように構成されたアンテナをさらに含む、請求項１に記載の装置。
【請求項１５】
ユーザ機器（ＵＥ）の１つ以上のプロセッサによる実行のためのプログラムであって、前記１つ以上のプロセッサは該ＵＥを設定して、該ＵＥが非セキュアネットワークのアクセスポイント（ＡＰ）を介して第３世代パートナーシッププロジェクトロングタームエボリューション（３ＧＰＰ  ＬＴＥ）ネットワークと通信するようにし、該１つ以上のプロセッサは前記ＵＥを設定して、前記ＵＥが、
前記ＵＥがローミングしていないとき、前記ＡＰを介してＨＰＬＭＮ（home  public  land  mobile  network）ｅＰＤＧ（ＨｅＰＤＧ）に接続し、
ＵＥがローミングしているとき、接続しようと試みるＨｅＰＤＧとＶＰＬＭＮ（visited  land  mobile  network）進化型パケットデータゲートウェイ（ｅＰＤＧ）（ＶｅＰＤＧ）のうちのいずれについて示すｅＰＤＧ選択情報を取得し、該ｅＰＤＧ選択情報によって示される該ＨｅＰＤＧ及び該ＶｅＰＤＧのうちのどちらかに前記ＡＰを介して接続し、
ＵＥがローミングしており、いかなるＰＬＭＮにも接続できないとき、特定ＰＬＭＮに対応するデフォルト完全修飾ドメイン名（ＦＱＤＮ）を前記ｅＰＤＧ選択情報から抽出し、該デフォルトＦＱＤＮに基づいて前記ＡＰを介して前記特定ＰＬＭＮに対応するｅＰＤＧに接続するようにし、
無線ローカルエリアネットワーク（ＷＬＡＮ）アクセスネットワーククエリプロトコル（ＡＮＱＰ）に従って前記ＡＰを介して前記ｅＰＤＧ選択情報が取得されるとき、該１つ以上のプロセッサは前記ＵＥを設定して、前記ＵＥが、
前記ＡＰへの送信のためのＡＮＱＰクエリを実行することであって、該ＡＮＱＰクエリは、前記ＵＥへのＡＮＱＰ応答がジェネリックコンテナを使用することを示す情報ＩＤフィールドを含み、該ジェネリックコンテナは、該ジェネリックコンテナのバージョンを示すバージョンフィールドと、ヘッダ長フィールドの長さの後のオクテット数を定義する該ヘッダ長フィールドと、複数の情報要素識別子（ＩＥＩ）を含むペイロードフィールドとを含む、実行することと、
前記ＡＰから前記ＡＮＱＰ応答を受信することであって、前記ＡＮＱＰ応答は、ＷＬＡＮネットワークによってサポートされたＰＬＭＮ（public  land  mobile  network）識別子のリストと、どのオペレータがＳ２ｂをサポートし、１つ以上のｅＰＤＧが配置されているか、を含む、受信することと、をするようにする、プログラム。
【請求項１６】
前記ｅＰＤＧ選択情報は、ｅＰＤＧのリスト及び選択ルールを含み、
前記ｅＰＤＧ選択情報は、
前記ＵＥのメモリに記憶された設定ファイル内の事前設定された情報である、あるいは
ＡＮＤＳＦ（Access  Network  Discovery  and  Selection  Function）サーバから、あるいは無線ローカルエリアネットワークによってサポートされたＰＬＭＮ識別子のリストと、どのオペレータがＳ２ｂをサポートし、１つ以上のｅＰＤＧが配置されているかを含むＷＬＡＮアクセスネットワーククエリプロトコル（ＡＮＱＰ）応答から前記ＡＰを通じて取得された動的情報であって、前記ｅＰＤＧ選択情報が動的に取得できないときはその後に前記メモリから取得されるものである、請求項１５に記載のプログラム。
【請求項１７】
前記ｅＰＤＧ選択情報が動的情報又は静的情報を含むかどうかに関係なく、ｅＰＤＧ選択情報は、ＨＰＬＭＮポリシーが優先されない、複数の順位付けされたＶＰＬＭＮを含むリストを含み、
前記１つ以上のプロセッサは前記ＵＥを設定して、該ＵＥが
前記リストの複数の優先順位付けされたＶＰＬＭＮの最高優先順位ＶＰＬＭＮの完全修飾ドメイン名（ＦＱＤＮ）を作成し、
ドメインネームサーバ（ＤＮＳ）メカニズムを使用して、前記最高優先順位ＶＰＬＭＮのｅＰＤＧのインターネットプロトコル（ＩＰ）アドレスを取得し、
取得された前記ＩＰアドレスを使用して前記ＡＰを介して最高優先順位ＰＬＭＮのｅＰＤＧに接続する、
ようにする、請求項１５に記載のプログラム。
【請求項１８】
請求項１５から１７のいずれか一項に記載のプログラムを記憶するコンピュータ読み取り可能記憶媒体。
【発明の詳細な説明】
【技術分野】
【０００１】
本出願は、２０１５年５月１８日に出願された、「HPLMN  PREFERRED  EPDG  SELECTION  IN  ROAMING  SCENARIOS」と題する米国仮特許出願の優先権を主張し、参照によりその全体が本明細書に組み込まれる。
【０００２】
実施形態は、無線アクセスネットワークに関する。いくつかの実施形態は、第３世代パートナーシッププロジェクトロングタームエボリューション（３ＧＰＰ  ＬＴＥ）ネットワーク及びＬＴＥアドバンスド（ＬＴＥ−Ａ）ネットワーク並びに第４世代（４Ｇ）ネットワークおよび第５世代（５Ｇ）ネットワークを含むセルラーネットワークにおける接続シナリオに関する。
【背景技術】
【０００３】
パーソナル通信装置の使用は過去２０年間に天文学的に増加している。現代社会におけるモバイルデバイス（ユーザ機器またはＵＥ）の普及により、数多くの異なる環境において、幅広いネットワーク化デバイスに対する需要が継続的に推進されている。３ＧＰＰ  ＬＴＥシステムを使用したネットワーク化デバイスの使用は、家庭及び職場のあらゆる分野で増加している。既存の装置及びネットワークの時々惑わせるほどの多様性のために、特定の加入者及びＵＥに対して適切な通信能力を提供することは非常に複雑になることがある。これは、ＵＥがそのホーム網からローミングするのが頻繁な場合に特に当てはまる。この場合、ＵＥがＨＰＬＭＮ（home  public  land  mobile  network）のリソース及びポリシーを使用することを望む場合であっても、ＵＥはＶＰＬＭＮ（visited  public  land  mobile  network）リソース及びポリシーを使用するように制約される可能性がある。これは、信頼されていない無線ローカルエリアネットワーク（ＷＬＡＮ）を使用して３ＧＰＰ  ＬＴＥシステムにアクセスするなど、信頼されていない接続シナリオがＶＰＬＭＮに存在する場合に特に問題になる可能性がある。
【０００４】
従って、ローミングシナリオにおける接続の場合にＵＥが選択可能なプリファレンスを使用できることを提供することが望ましい可能性がある。
【図面の簡単な説明】
【０００５】
図面は必ずしも縮尺通りに描かれていないが、図面では、同様の符号は、異なる図で類似の構成要素を説明することがある。異なる文字接尾辞を有する同様の数字は、類似の構成要素の異なるインスタンスを表すことができる。図面は、概して、本明細書で論じる様々な実施形態を限定としてではなく、例として示す。
【図１】いくつかの実施形態に従う、３ＧＰＰネットワークの機能図である。
【図２】いくつかの実施形態に従う、３ＧＰＰデバイスのブロック図である。
【図３】いくつかの実施形態に従う、ホームオペレータプリファレンスを有する。
【図４】いくつかの実施形態に従う、ジェネリックＷＬＡＮコンテナ構造を示す。
【図５】いくつかの実施形態に従う、進化型パケットデータゲートウェイ（ｅＰＤＧ）選択のフローチャートを示す。
【発明を実施するための形態】
【０００６】
以下の説明及び図面は、当業者がそれらを実施できるように特定の実施形態を十分に示す。他の実施形態は、構造的、論理的、電気的、プロセス的、及び他の変更を組み込むことができる。いくつかの実施形態の部分及び特徴は、他の実施形態の部分及び特徴に含まれてもよく、あるいはそれらと置き換わってもよい。特許請求の範囲に記載の実施形態は、それらの特許請求の範囲のすべての利用可能な均等物を包含する。
【０００７】
無線移動通信技術は、様々な規格及びプロトコルを使用して、基地局と無線移動デバイスとの間でデータを送信する。無線通信システムの規格及びプロトコルは、第３世代パートナーシッププロジェクト（３ＧＰＰ）ロングタームエボリューション（ＬＴＥ）、マイクロ波アクセス（ＷｉＭＡＸ）のための世界的相互運用性として業界団体に一般的に知られている米国電気電子学会（ＩＥＥＥ）８０２．１６規格（ＷｉＭＡＸ）、Ｗｉ−Ｆｉとして業界団体に一般的に知られているＩＥＥＥ  ８０２．１１規格を含むことができる。
【０００８】
図１は、いくつかの実施形態に従う、３ＧＰＰネットワークの機能図である。ネットワークは、互いに結合された無線アクセスネットワーク（ＲＡＮ）（例えば、示しているように、Ｅ−ＵＴＲＡＮ又は発展型ユニバーサル地上無線アクセスネットワーク）１００及びコアネットワーク１２０（例えば、進化型パケットコア（ＥＰＣ）として示している）を含むことができる。便宜上及び簡略化のために、ＲＡＮ１００だけでなく、コアネットワーク１２０の一部だけが示されている。
【０００９】
コアネットワーク１２０は、モビリティ管理エンティティ（ＭＭＥ）１２２と、サービングゲートウェイ（サービングＧＷ）１２４と、パケットデータネットワーク（ＰＤＮ  ＧＷ）１２６とを含む。ＲＮ１００は、ＵＥ１０２と通信する（基地局として動作することができる）ｅＮＢ１０４を含む。ｅＮＢ１０４は、マクロｅＮＢ及び低電力（ＬＰ）ｅＮＢを含むことができる。  ＬＰ  ｅＮＢ１０４は、ＩＥＥＥ８０２．１１通信を介してＵＥ１０２と通信するように構成されたアクセスポイント（ＡＰ）とすることができる。アクセスポイントコントローラ（ＡＰＣ）は、ＡＰ１０４とｅＰＤＧ１３２、１６２との間に配置されることができる。
【００１０】
ＭＭＥ１２２は、機能が従来のサービングＧＰＲＳサポートノード（ＳＧＳＮ）の制御プレーンと類似する。ＭＭＥ１２２は、ＵＥの初期接続時及びＬＴＥ内ハンドオーバ時のゲートウェイ選択、追跡エリアリスト管理、ページング及びタグ付け手順、ベアラ活性化／非活性化、ユーザ認証、ＵＥへの一時的アイデンティティの生成及び割り当て等のアクセスにおけるモビリティの側面を管理する。  ＭＭＥ１２２は、ＵＥがサービスプロバイダのＰＬＭＮを使用することの承認を決定し、ＵＥローミング制限を実施する。ＭＭＥ１２２は、ユーザ関連及び加入関連情報を含むホーム加入者サーバ（ＨＳＳ）１２８に接続され得る。ＨＳＳ１２８は、モビリティ管理、コール及びセッション確立サポート、ユーザ認証及びアクセス許可をサポートすることができる。
【００１１】
サービングＧＷ１２４は、ＲＡＮ１００に向けたインタフェースを終端し、ＲＡＮ１００とコアネットワーク１２０との間でトラフィックパケット（データパケット又は音声パケットなど）をルーティングすることができる。さらに、サービングＧＷ１２４は、ｅＮＢ間ハンドオーバの場合のローカルモビリティアンカポイントであることができ、３ＧＰＰ間モビリティの場合のアンカも提供することができる。サービングＧＷ１２４の他の責務は、合法的傍受、課金、及びいくつかのポリシー施行を含むことがある。サービングＧＷ１２４及びＭＭＥ１２２は、１つの物理ノード又は別個の物理ノードに実装され得る。
【００１２】
ＰＤＮ  ＧＷ１２６は、パケットデータネットワーク（ＰＤＮ）に向けたＳＧｉインタフェースを終端することができる。ＰＤＮ  ＧＷ１２６は、ＥＰＣ１２０と外部ＰＤＮとの間でトラフィックパケットをルーティングすることができ、ポリシー実施及び課金データ収集の場合のキーノードとすることができる。ＰＤＮ  ＧＷ１２６は、非ＬＴＥアクセスを伴うモビリティの場合のアンカーポイントも提供することができる。外部ＰＤＮは、ＩＰマルチメディアサブシステム（ＩＭＳ）ドメインだけでなく、任意のタイプのＩＰネットワークとすることができる。ＰＤＮ  ＧＷ１２６及びサービングＧＷ１２４は、１つの物理ノード又は別々の物理ノードに実装され得る。
【００１３】
ｅＮＢ１０４（マクロ及びマイクロ）は、エアインタフェースプロトコルを終端し、ＵＥ１０２に対する第１のコンタクトポイントとすることができる。ｅＮＢ１０４は、通常のカバレッジモードのＵＥ１０２と、１つ以上の拡張カバレッジモードのＵＥ１０２の両方と通信することができる。いくつかの実施形態では、ｅＮＢ１０４は、無線ベアラ管理、アップリンク及びダウンリンク動的無線リソース管理及びトラフィックパケットスケジューリング、モビリティ管理などのＲＮＣ（無線ネットワークコントローラ機能）を含むがこれらに限定されないＲＡＮ１００に対する様々な論理機能を果たすことができる。いくつかの実施形態に従って、ＵＥ１０２は、時分割多元接続（ＴＤＭＡ）、周波数分割多元接続（ＦＤＭＡ）直交ＦＤＭＡ（ＯＦＤＭＡ）、ＳＣ−ＦＤＭＡ、他の通信などの直交多元接続（ＯＭＡ）を介し、適切な通信技術に従って、マルチキャリア通信チャネルを介してｅＮＢ１０４と信号を通信するように構成されている。ＯＦＤＭ信号は、複数の直交副搬送波を含むことができる。いくつかの実施形態に従って、ＵＥ１０２は、非直交多元接続（ＮＯＭＡ）信号を介して通信するように構成され得る。
【００１４】
Ｓ１インタフェース１１５は、ＲＡＮ１００とＥＰＣ１２０とを分離することができる。Ｓ１インタフェース１１５は、２つの部分に分離することができる。すなわち、ｅＮＢ１０４とサービングＧＷ１２４との間でトラフィックパケットを搬送するＳ１−Ｕと、ｅＮＢ１０４とＭＭＥ１２２との間のシグナリングインタフェースであるＳ１−ＭＭＥである。
【００１５】
セルラーネットワークでは、代表的には、ＬＰセルが使用されて、屋外信号がうまく届かない屋内エリアにカバレッジを拡張する、あるいは鉄道の駅などの電話が非常に高密度で使用されるエリアにネットワーク容量を追加する。本明細書では、低電力（ＬＰ）ｅＮＢという用語は、フェムトセル、ピコセル、又はマイクロセルなどのより狭いセル（マクロセルよりも狭い）を実装する任意の適切な比較的低電力のｅＮＢを指す。フェムトセルｅＮＢは、代表的には、モバイルネットワークオペレータによってその居住者又は企業の顧客に提供される。フェムトセルは、代表的には、住宅用ゲートウェイ以下のサイズであり、一般には、ユーザのブロードバンド回線に接続する。プラグインされると、フェムトセルはモバイルオペレータのモバイルネットワークに接続し、住宅用フェムトセルの場合、代表的には、３０〜５０メートルの範囲の追加のカバレッジを提供する。したがって、ＬＰ  ｅＮＢは、ＰＤＮ  ＧＷ１２６を介して結合されるため、フェムトセルｅＮＢとすることができる。同様に、ピコセルは、通常、室内（オフィス、ショッピングモール、鉄道の駅等）、より最近では航空機内等の小さなエリアをカバーする無線通信システムである。ピコセルｅＮＢは、一般には、基地局コントローラ（ＢＳＣ）機能を通じて、マクロｅＮＢなどの別のｅＮＢにＸ２リンクを介して接続することができる。したがって、ＬＰ  ｅＮＢは、Ｘ２インタフェースを介してマクロｅＮＢに結合されるため、ピコセルｅＮＢを用いて実装することができる。ピコセルｅＮＢ又は他のＬＰ  ｅＮＢは、マクロｅＮＢの一部又はすべての機能を組み込むことができます。場合によっては、アクセスポイント基地局又は企業フェムトセルと称されることがある。
【００１６】
図１には、ポリシー及び課金制御（ＰＣＣ）アーキテクチャも含まれている。ＰＣＣアーキテクチャは、とりわけ、アプリケーション機能（ＡＦ）１４４，１５４と、ポリシー及び課金ルール機能（ＰＣＲＦ）１４６，１５６と、ポリシー及び制御実施機能（ＰＣＥＦ）１４０と、ユーザポリシー課金制御サブスクリプション情報を記憶することができるサブスクリプションプロファイルリポジトリ（ＳＰＲ）１５２と、ベアラバインディング及びイベント報告機能（ＢＢＥＲＦ）１４２と、オンライン課金システム（ＯＣＳ）１５８と、オフライン課金システム（ＯＦＣＳ）１４８と、コンピュータリソースへのアクセスのためのＵＥ要求を処理し、認証サービスを提供する認証・認可・アカウンティング（ＡＡＡ）サーバ（図示せず）と、ＵＥオペレータによって所有されている、あるいはＵＥオペレータとローミング契約を有する３ＧＰＰ及び非３ＧＰＰアクセスネットワーク（Ｗｉ−Ｆｉなど）への接続性について、発見情報をＵＥに提供することができるアクセスネットワーク発見及び選択機能（ＡＮＤＳＦ）サーバ１３４と、を含む
ＡＮＤＳＦサーバ１３４は、ＵＥを支援して、ＵＥの近くにあるＷｉＦｉネットワークなどの非３ＧＰＰアクセスネットワークを発見し、非３ＧＰＰアクセスネットワークへの接続を順位付けし管理するためのルールを提供することができる。ＡＮＤＳＦサーバ１３４は、１つ以上のＡＮＤＳＦポリシーを使用してポリシー及びプリファレンスを提供することによって、ＷＬＡＮ、又は３ＧＰＰ若しくは他のセルラ無線ネットワークを使用しない他のネットワークを介したＵＥとのトラフィックフローをオフロードすることを通じて、ライセンスを受けた帯域幅の効率的な使用を得るのを支援することができる。ＡＮＤＳＦサーバ１３４は、例えば、システム間モビリティポリシー（ＩＳＭＰ）及び／又はシステム間ルーティングポリシー（ＩＳＲＰ）の使用を通じて、ＵＥがどのアクセス技術が接続及び／又は特定条件下でのＩＰトラフィックに対して好ましいかを決定することを可能にする、定義されたメカニズムを有することができる。ＡＮＤＳＦクライアントはＵＥ上で動作し、Ｓ１４インタフェースを介してＯＡＭ−ＤＭ（Open  Mobile  Alliance  Device  Management）プロトコルを使用してＡＮＤＳＦサーバ１３４と相互作用することができる。ＡＮＤＳＦ情報はクエリ応答内において提供されることができ、要求はＵＥの位置及び能力（例えば、サポートされているインタフェース）を含むことができ、その応答はアクセスのタイプ（例えば、ＷｉＦｉ、ＷｉＭａｘ）、ＲＡＮ（例えば、利用可能なＷＬＡＮのＳＳＩＤ）、及び１つ以上の搬送波周波数などの技術特有の情報を含むことができる。ＡＮＤＳＦサーバ１３４はＥＰＣ１２０内で容易にされ、アクセスポイントコントローラ（ＡＰＣ）１３６と接続され得る。
【００１７】
異なる機能がＲＡＮ１００全体に配置された様々なサーバ及びモジュールに提供され得る。ＰＣＥＦ１４０はＶＰＬＭＮ１１０内に位置することができる。ポリシー及び課金ルールは、Ｓ９インタフェースを介してホーム網（home  network）ＰＣＲＦ（ＨＰＣＲＦ）１５６から在圏網（visited  network）ＰＣＲＦ（ＶＰＣＲＦ）１４６に送信され得る。その後、ルールは、Ｇｘインタフェースを介して在圏網ＰＣＥＦ１４０に送信され、Ｇｘｘインタフェースを介して在圏網ＢＢＥＲＦ１４２に送信され得る。在圏網ＰＣＥＦ１４０は、在圏網ＯＦＣＳ１４８及びＧｙインタフェースを介してホーム網ＯＣＳ１５８に、接続され得る。
【００１８】
図示のように、ＰＣＲＦ１４６，１５６は、ＨＰＣＲＦ１５６及びＶＰＣＲＦ１４６を含むことができる。ＰＣＲＦ１４６，１５６は、実施のためのＰＣＥＦ１４０にポリシー及び課金ルールを提供することができる。ＰＣＲＦ１４６，１５６は、ルールとＵＥサブスクリプション情報とを比較して、コンプライアンスを保証することもできる。
【００１９】
いくつかの実施形態では、ＰＣＲＦ１４６，１５６は、ＡＦ１４４，１５４、ＳＰＲ１５２及びＰＣＥＦ１４０から情報を得ることができる。より具体的には、いくつかの実施形態では、ＡＦ１４４，１５４は、ＵＥがＲＡＮ１００に加入し、パラメータネゴシエーション（parameter  negotiation）が実行されるときに、ＵＥのサービス情報を提供することができる。ＰＣＲＦ１４６，１５６は、サービス情報がＰＣＲＦポリシーと一致する場合にネゴシエーションを受け入れる、あるいはネゴシエーションを拒否し、ＰＣＲＦ１４６，１５６が受け入れ可能なサービスパラメータをＡＦ１４４，１５４に提供することができ、その後、受け入れ可能なパラメータをＵＥに返すことができる。
【００２０】
同様に、いくつかの実施形態では、ＰＣＥＦ１４０は、ベアラに関するＲＡＮ情報をＰＣＲＦ１４６，１５６に提供することができる。ＰＣＥＦ１４０は、ベアラプレーン上のサービスデータフローについてのＰＣＲＦポリシー及び課金ルールを制定することができる。ＰＣＥＦ１４０は、ベアラが確立された後、ＰＣＲＦルールに従ってＵＥ  ＱｏＳに依存したサービスフローを制御することができる。ＰＣＥＦ１４０は、ＰＣＲＦ課金ルールに依存したオンライン及び／又はオフライン課金も実施することができる。ＰＣＥＦ１４０は、オンライン課金の場合にＯＣＳ１５８と、オフライン課金の場合にＯＦＣＳ１４８と対応して通信し、課金情報を得ることができる。ＰＣＥＦ１４０は、サービングＧＷ１２４、ＰＤＮＧＷ１２６、又は進化型パケットデータゲートウェイ（ｅＰＤＧ）１３２の内部に位置することができる。
【００２１】
ＢＢＥＲＦ１４２は、サービングＧＷ１２４、別のＰＤＮ  ＧＷ（図示せず）、又はｅＰＤＧ１３２内に配置され得る。ゲートウェイは、ＵＥ１０２がＥ−ＵＴＲＡＮ１０１（サービングＧＷ１２４）、信頼された非３ＧＰＰネットワーク（他のＰＤＮ  ＧＷ）、又は信頼されていない非３ＧＰＰアクセスシステム（ｅＰＤＧ１３２）を介してＲＡＮ１００にアクセスするかどうかに依存することができる。ｅＰＤＧ１３２は、ＵＥ１０２と確立されたＩＰｓｅｃトンネルの終端ノードとして機能することによって、信頼されていない非３ＧＰＰアクセスを使用したＵＥ１０２とＥＰＣとの間のデータ伝送を保護することができる。信頼されていないアクセスの一例は、公衆ＷｉＦｉホットスポットを介した接続又はネットワークオペレータがセキュリティの観点から信頼できると見なすことのできない他のネットワーク接続とすることができる。ｅＰＤＧ１３２は、ＩＰＳｅｃトンネルを、ＰＤＮ  ＧＷ１２６で終端された汎用パケット無線サービス（ＧＰＲＳ）トンネリングプロトコル（ＧＴＰ）に、あるいはＰＤＮ  ＧＷ１２６で終端されるプロキシモバイルＩＰｖ６（ＰＭＩＰ）トンネルにマッピングすることができる。各ゲートウェイのうちの１つだけが示されているが、ｅＰＤＧ１３２等の１つ以上の異なるゲートウェイが有り得る。さらに、ＥＰＣ１２０、ｅＰＤＧ１３２、Ｅ−ＵＴＲＡＮ１０１等の図示された要素は、ＶＰＬＭＮ１１０及びＨＰＬＭＮ１５０の各々に存在することができる。
【００２２】
図２は、いくつかの実施形態による３ＧＰＰデバイスの機能図である。デバイスは、例えば、ＵＥ又はｅＮＢとすることができる。いくつかの実施形態では、ｅＮＢは固定された非モバイルデバイスとすることができる。３ＧＰＰデバイス２００は、１つ以上のアンテナ２０１を使用して信号を送信及び受信する物理層回路２０２を含むことができる。３ＧＰＰデバイス２００は、無線媒体へのアクセスを制御する媒体アクセス制御層（ＭＡＣ）回路２０４も含むことができる。３ＧＰＰデバイス２００は、本明細書で説明する動作を実行するように構成された処理回路２０６及びメモリ２０８を含むこともできる。
【００２３】
いくつかの実施形態では、本明細書で説明するモバイルデバイス又は他のデバイスは、パーソナルデジタルアシスタント（ＰＤＡ）、無線通信能力を有するラップトップ又はポータブルコンピュータ、ウェブタブレット、無線電話、スマートフォン、無線ヘッドセット、ページャ、インスタントメッセージングデバイス、デジタルカメラ、アクセスポイント、テレビ、センサ、医療デバイス（例えば、心拍数モニタ、血圧モニタ等）、情報を無線で受信及び／又は送信することができる他の装置等のポータブル無線通信デバイスの一部とすることができる。いくつかの実施形態では、モバイルデバイス又は他のデバイスは、３ＧＰＰ規格に従って動作するように構成されたＵＥ１０２又はｅＮＢ１０４とすることができる。いくつかの実施形態では、モバイルデバイス又は他のデバイスは、ＩＥＥＥ８０２．１１又は他のＩＥＥＥ規格を含む他のプロトコル又は規格に従って動作するように構成され得る。いくつかの実施形態では、モバイルデバイス又は他のデバイスは、キーボード、ディスプレイ、不揮発性メモリポート、複数アンテナ、グラフィックスプロセッサ、アプリケーションプロセッサ、スピーカ、及び他のモバイルデバイス要素のうちの１つ以上を含むことができる。ディスプレイは、タッチスクリーンを含むＬＣＤスクリーンとすることができる。
【００２４】
アンテナ２０１は、例えば、ダイポールアンテナ、モノポールアンテナ、パッチアンテナ、ループアンテナ、マイクロストリップアンテナ、又はＲＦ信号の伝送に適した他のタイプのアンテナを含む、１つ以上の指向性又は全方向性アンテナを含むことができる。いくつかの多入力多出力（ＭＩＭＯ）の実施形態では、アンテナ２０１は、空間ダイバーシティ及び結果として生じる得る異なるチャネル特性を有効に利用するように効果的に分離され得る。
【００２５】
３ＧＰＰデバイス２００は、いくつかの別個の機能要素を有するものとして示されているが、機能要素の１つ以上を組み合わせることができ、デジタル信号プロセッサ（ＤＳＰ）を含む処理要素などのソフトウェア構成要素、及び／又は他のハードウェア要素の組み合わせによって実装され得る。例えば、いくつかの要素は、１つ以上のマイクロプロセッサ、ＤＳＰ、フィールドプログラマブルゲートアレイ（ＦＰＧＡ）、特定用途向け集積回路（ＡＳＩＣ）、無線周波数集積回路（ＲＦＩＣ）並びに本明細書で説明する機能少なくとも実行する様々なハードウェア及び論理回路の組み合わせを含むことができる。いくつかの実施形態では、機能要素は、１つ以上の処理要素で動作する１つ以上のプロセスを指すことができる。
【００２６】
実施形態は、ハードウェア、ファームウェア、及びソフトウェアの１つ又は組み合わせで実施されてもよい。実施形態は、本明細書で説明する動作を実行する少なくとも１つのプロセッサによって読み取られ実行されることができる、コンピュータ読み取り可能な記憶デバイスに記憶された命令としても実装され得る。コンピュータ読み取り可能な記憶デバイスは、機械（例えばコンピュータ）によって読み取り可能な形式で情報を記憶する任意の非一時的メカニズムを含むことができる。例えば、コンピュータ読み取り可能な記憶デバイスは、読み取り専用メモリ（ＲＯＭ）、ランダムアクセスメモリ（ＲＡＭ）、磁気ディスク記憶媒体、光学記憶媒体、フラッシュメモリデバイス、及び他の記憶装置及び媒体を含むことができる。いくつかの実施形態は、１つ以上のプロセッサを含むことができ、コンピュータ読み取り可能な記憶デバイスに記憶された命令で構成され得る。
「機械読み取り可能な媒体」という用語は、１つ又は複数の命令を格納するように構成された単一の媒体又は複数の媒体（例えば、集中型又は分散型データベース、及び／又は関連するキャッシュ及びサーバ）を含むことができる。「機械読み取り可能な媒体」という用語は、３ＧＰＰデバイス２００による実行のための命令を記憶、符号化、又は搬送することができ、３ＧＰＰデバイス２００に、本開示の１つ以上の任意の技術を実行することをさせ、あるいはそのような命令によって使用されるか、又はそれに関連付けられたデータ構造を記憶、符号化又は搬送することができる任意の媒体を含むことができる。「伝送媒体」という用語は、実行のための命令を記憶、符号化又は搬送することができる任意の無形媒体を含むとみなすものとし、そのようなソフトウェアの通信を容易にするデジタル若しくはアナログ通信信号又は他の無形媒体を含む。
【００２７】
上記のように、ＵＥがＨＰＬＭＮリソース及びポリシーを使用することを望む場合であっても、特定のＵＥに対する適切な通信能力の搬送が、ＶＰＬＭＮリソース及びポリシーを使用するように制約されることがある。いくつかの実施形態では、ＵＥのホーム網からローミングするときにＵＥが使用する選択可能な接続プリファレンスを可能にするために大きなフレキシビリティが望ましいことがある。この目的のために、最近、ワークがＩＲ．５１において開催され、３ＧＰＰ仕様に基づいたＷｉ−Ｆｉを介した音声、ビデオ及びショートメッセージングサービス（ＳＭＳ）用のＩＰマルチメディアサブシステム（ＩＭＳ）プロファイルを定義し、信頼されていないＳ２ｂ（ＰＧＷ−ｅＰＤＧ）接続シナリオにおけるｅＰＤＧ選択の場合に３ＧＰＰ仕様を使用することとなった。言い換えれば、Ｗｉ−Ｆｉアクセスネットワークを介した相互運用可能で高品質のＩＭＳベースの電話通信及び会話型ビデオサービスを保証するために、ＵＥ及びネットワークが実装すべき、３ＧＰＰ仕様で定義されている最小必須セットの特徴を識別することができる。
【００２８】
いくつかの実施形態では、ＵＥがＨＰＬＭＮからＶＰＬＭＮへローミングするとき、ＵＥは、ＡＰを介して非セキュアなＷｉＦｉ接続を使用してネットワークにアクセスすることができる。ＩＰＳｅｃトンネルは、ＵＥとｅＰＤＧとの間に作成することができる。特に、ＵＥは、代表的には、最初に、ＶＰＬＭＮ  ｅＰＤＧのうちの１つに接続しようと試みることができる。接続が失敗した場合、又は認証されなかった場合、その後、ＵＥは、ＨＰＬＭＮ  ｅＰＤＧの１つに接続しようと試みることができる。しかし、ＨＰＬＭＮ  ｅＰＤＧの１つ以上が到達可能で利用可能ないくつかのボイスオーバＷｉＦｉ（ＶｏＷｉＦｉ）配置シナリオでは、ＵＥは最初にＨＰＬＭＮ  ｅＰＤＧの１つに接続することが望ましいことがある。そのような配置シナリオは、在圏網がＶｏＷｉＦｉサービスを今のところ配置していないか、十分に配置していないときに、在圏網内でＶｏＷｉＦｉサービスが稼働することを保証するために相互運用性テストが実行される場合を含む。さらに、ＶＰＬＭＮが要求されたサービス（ＶｏＷｉＦｉ等）を提供することができる場合であっても、ホーム網及び在圏網オペレータとの間に、在圏ＵＥが在圏網を介してそのホーム網内の所望のサービスにどのようにアクセスすることができるかを定義するローミング契約（ローミングアグリーメント）がない場合、ＵＥはＨＰＬＭＮ  ｅＰＤＧの１つに接続することが望ましいことがある。
【００２９】
現在の３ＧＰＰ仕様では、ＵＥは、ＵＥがＨＰＬＭＮにいるときは、ホームオペレータに対応するｅＰＤＧに接続することができる。しかし、現在、ＵＥが、在圏オペレータを伴うローミングシナリオにおいてＨＰＬＭＮ  ｅＰＤＧを選択することを可能にするメカニズムがない。ローミングシナリオでは、ＵＥは通常、代わりにＶＰＬＭＮリソースを使用することができる。それゆえ、ローミングシナリオでは、ＨＰＬＭＮポリシーが望ましいときでも、ローカルブレークアウトＰＤＮ接続のハンドオーバをサポートするＶＰＬＭＮポリシーにプリファレンスが一般に与えられる。
【００３０】
これを克服するために、いくつかの実施形態では、ＨＰＬＭＮベースのｅＰＤＧの選択は、１つ以上のＡＮＤＳＦ管理オブジェクト（ＭＯ）を介する等により、ＵＥホームオペレータから利用可能な事前設定されたＨＰＬＭＮプリファレンス、又は動的ポリシーに依存することができる。ＨＰＬＭＮプリファレンスは、ＶＰＬＭＮプリファレンスよりも優先順位が高く、ハードデフォルト（hard-default）設定ではなく、特定の状況でのみ使用され得る。
【００３１】
したがって、いくつかの実施形態は、ホーム／在圏網のオペレータプリファレンスに基づいてローミングシナリオでＵＥをＨＰＬＭＮ  ｅＰＤＧに選択的に接続するメカニズムに関する。ＵＥがＨＰＬＭＮ  ｅＰＤＧアドレスを取得し、ＨＰＬＭＮ  ｅＰＤＧに接続することができる方法を、以下でより詳細に説明する。いくつかの実施形態では、これは、異なるルーティングが通常の通信条件下よりも発生し得る、合法的傍受及び緊急シナリオを伴う状況に等しく適用可能である。
【００３２】
ＵＥは、ローミング中に非セキュアネットワークのＡＰを介して３ＧＰＰネットワークにアクセスするとき、ＡＰから到達可能なｅＰＤＧのリストを取得し、そのリストに基づいて決定を行うことができる。ＨＰＬＭＮ  ｅＰＤＧは、ＡＰＣによって到達可能な場合など、いくつかの状況においてＵＥによって選択され得る。いくつかの実施形態では、ＵＥは、事前設定された、あるいは静的な設定を記憶して、ＨＰＬＭＮ  ｅＰＤＧを選択することができる。設定は、ユニバーサル集積回路カード（ＵＩＣＣ）、ＵＥ内の他の不揮発性ストレージ等、ＵＥのリムーバブル又は非リムーバブルメモリ内の設定ファイルに記憶され得る。
【００３３】
１つ以上のＡＮＤＳＦ  ＭＯも、設定ファイルが記憶されているものと同じメモリ又は異なるメモリ内において、ＵＥ内で事前設定され得る。ＡＮＤＳＦ  ＭＯは、ネットワーク選択ルールを含む階層型デバイス管理構造内の設定パラメータとすることができる。ＡＮＤＳＦ  ＭＯは、ＸＭＬ（eXtensible  Markup  Language）形式で構造化されることができ、ＵＥから引き出される、あるいはＵＥにプッシュされ得る。ＵＥに関する情報及び適切なｅＰＤＧ接続情報は、ＡＮＤＳＦサーバに通信され、それによって記憶され得る。いくつかの実施形態では、代わりにあるいは追加して、ＵＥは、アクセスネットワークを識別し、ネットワーク選択ルールに依存するＲＡＴの相対的な優先順位に基づいて、アクセスネットワークの１つ以上のＲＡＴとの接続を確立するように設定され得る。
【００３４】
いくつかの実施形態では、ＨＰＬＭＮ  ｅＰＤＧは、１つ以上のＷＬＡＮアクセスネットワーククエリプロトコル（ＡＮＱＰ）メカニズムを使用してＵＥによって選択され得る。ＡＮＱＰは、ＡＰによって提供されるサービスを定義するクエリ及び応答プロトコルであり、ドメイン名、証明書タイプ及びサポートされる認証方法を伴うアクセス可能なローミングパートナー、ＩＰアドレスタイプの可用性、並びにネットワーク選択に使用される他の情報を発見するのに使用され得る。ＡＮＱＰ方法を使用することによって、ＵＥは、ＷＬＡＮネットワークによってサポートされるＰＬＭＮ識別子のリストを取得することが可能となり得る。どのオペレータがＳ２ｂをサポートし、１つ以上のｅＰＤＧが配置されているかを示すためにＡＮＱＰ方法の一部として追加情報を提供することができる。ＵＥは、このメカニズムを使用してＨＰＬＭＮ又は同等のＨＰＬＭＮベースのｅＰＤＧ（本明細書ではＨＰＬＭＮ  ｅＰＤＧ又はＨｅＰＤＧとも称される）を優先させることができる。
【００３５】
いくつかの実施形態では、ＨＰＬＭＮ  ｅＰＤＧは、ＡＮＤＳＦルールを使用してＵＥによって選択され得る。これらの実施形態では、ＵＥは、ホームＡＮＤＳＦ（ＨＡＮＤＳＦ）などのポリシーサーバからホームオペレータプリファレンスを取得することができる。ＨＡＮＤＳＦは、ＵＥがローミングしているときに、ＵＥがＨｅＰＤＧに接続すべきかどうかをＵＥに指示することができる。ＡＮＤＳＦルールによって定義される様々なローミングシナリオは、例えば、ＵＥが特定のＶＰＬＭＮ又はＶＰＬＭＮの特定のセットにローミングするときに、ＨＰＬＭＮ  ｅＰＤＧに接続するかどうかを含むことができる。ＡＮＤＳＦルールは、ローミング契約に基づいた情報を考慮に入れることができる。
【００３６】
いくつかの実施形態では、動的ルール（ＡＮＤＳＦ又はＡＮＱＰを介して得られる）が利用できない場合に、静的又は事前設定されたルールを使用することができる。いくつかの実施形態では、ＨＰＬＭＮ  ｅＰＤＧは、ＲＡＮルールを使用してＵＥによって選択され得る。ＲＡＮルールが使用されるかどうかは、ＡＮＤＳＦルールがＵＥ内に記憶されているかどうかに依存し得る。いくつかの実施形態では、ＲＡＮルール及びＡＮＤＳＦルールの両方がＵＥ内に存在する場合、ＡＮＤＳＦルールを使用することができるように、優先順位が存在することができる。いくつかの実施形態では、ＡＮＤＳＦルールは、ＡＮＤＳＦルールとＲＡＮルールとが矛盾する範囲で使用されてもよい。いくつかの実施形態では、ＡＮＤＳＦルールがなく、ＵＥがＶＰＬＭＮからのＲＡＮルールを使用している場合、ＵＥは、利用可能であれば、静的又は事前設定されたＨＰＬＭＮ設定を使用することができる。ＵＥは、設定ファイルが記憶されているのと同じメモリ又は異なるメモリに、ＲＡＮルールを記憶することができる。
【００３７】
したがって、上記の様々な実施形態は、ＵＥのホームオペレータが、ＵＥがローミングしているときにホームオペレータから利用可能な事前設定又は動的ポリシー及びプリファレンスに基づいて異なるアクションを取ることを可能にすることができる。いくつかの実施形態では、ホームオペレータは、ＵＥがＨＰＬＭＮ  ｅＰＤＧに接続することを優先することがあり、その場合、ＵＥはＨＰＬＭＮ  ｅＰＤＧに接続することができる。いくつかの実施形態では、ホームオペレータは、ＵＥがＶＰＬＭＮ  ｅＰＤＧに接続することを優先することがあり、その場合、ホームオペレータは、ＵＥがＶＰＬＭＮ  ｅＰＤＧに接続できるＶＰＬＭＮのリストを提供することができる。いくつかの実施形態では、事前設定又は動的ポリシー／プリファレンスがホームオペレータから利用可能でない場合、ＵＥはＶＰＬＭＮポリシーに従い、それに応じてｅＰＤＧを選択することができる。
【００３８】
ホームオペレータによってＵＥ内に事前設定された情報は、ＵＥ内若しくはＵＩＣＣ内の設定ファイル又はＵＥ内の不揮発性ストレージに静的に提供され得る。いくつかの実施形態では、情報が、代わりに、又は追加的に、ＡＮＤＳＦ  ＭＯなどの管理オブジェクトにおいて取得され得る。ＵＥでの設定は、ＯＴＡ（over-the-air）サーバ及びリモートファイル管理機能を使用するオペレータによって更新され得る。この設定は、ホームオペレータによる設定の変更、ホームオペレータを含むローミング契約の変更、ＵＥの新しいＶＰＬＭＮへの移動、異なるＷＬＡＮにアクセス又は異なるＲＡＴの使用等、所定のイベントの発生又は周期的に更新され得る。
【００３９】
事前設定された情報は、とりわけ、ローミングシナリオにおけるホームオペレータの１つ以上のプリファレンス、ＰＬＭＮ固有の完全修飾ドメイン名（ＦＱＤＮ）の優先順位付けされたリスト、及びＶＰＬＭＮポリシーがホームオペレータポリシーと比較して優先されるＶＰＬＭＮリストを含むことができる。
【００４０】
より具体的には、ローミングシナリオにおけるホームオペレータは、ＨＰＬＭＮが、ローミングシナリオにおいてＨＰＬＭＮ  ｅＰＤＧをＵＥが使用することを優先するというホームオペレータからの指示とすることができる。そのような指示がＵＥに存在する場合、ＵＥは、ＶＰＬＭＮ  ｅＰＤＧよりもＨＰＬＭＮ  ｅＰＤＧを優先することができる。
【００４１】
ホームオペレータによって提供されるＰＬＭＮ特有のＦＱＤＮの優先順位付けされたリストは、各ＰＬＭＮについて、ｅＰＤＧに接続するためにＵＥによって選択され得るＦＱＤＮのリストを含む。ＨＰＬＭＮ  ｅＰＤＧが優先される場合、ＵＥは、ＵＥに利用可能な適切なＰＬＭＮ及びＦＱＤＮをリストから選択することができる。ＵＥが任意のＲＡＴを介していかなるＰＬＭＮに接続されていない場合、デフォルトＰＬＭＮがＵＥによって使用され得る。
【００４２】
ＵＥは、ＶＰＬＭＮポリシーがホームオペレータポリシーと比較して優先されるＶＰＬＭＮのリストを含むこともできる。そのようなＶＰＬＭＮにローミングするとき、ＵＥは、ＨＰＬＭＮ  ｅＰＤＧではなくＶＰＬＭＮ  ｅＰＤＧに接続するｅＰＤＧを選択することができる。ＶＰＬＭＮ  ｅＰＤＧに選択された接続が失敗した場合、代わりにＨＰＬＭＮポリシーを適用することができ、その後、ＵＥはＨＰＬＭＮ  ｅＰＤＧに接続することができる。
【００４３】
図３は、いくつかの実施形態に従うホームオペレータプリファレンスを示す。より具体的には、図３は、ＡＮＤＳＦ  ＭＯを使用してＵＥに配信されるホームオペレータプリファレンスを示す。
【００４４】
ローミングシナリオにおけるｅＰＤＧ選択の場合にＡＮＤＳＦサーバを使用して、更新及び他の情報を提供することができる。ＡＮＤＳＦサーバは、少なくとも１つのノードと少なくとも１つのリーフとで構成される階層型管理ツリー内にデバイス設定データを編成することができる。ＡＮＤＳＦ情報は、トンネル確立中に提供されて、適切なｅＰＤＧに接続するためのホームオペレータプリファレンスを決定することができる。ツリー構造は、HomeNetworkPreferenceノード３０２、S2bConnectivityPreferenceノード３０４、HPLMN_ePDG_Preferenceフラグ３０６、PreferredFQDNsノード３０８、サービスプロバイダ（ServiceProvider）リーフ３１０、ＦＱＤＮリーフ３１２、優先順位(Priority)リーフ３１４、Default_FQDNリーフ３１６及びVisited_ePDG_SPLリスト３１８を含む、１つ以上のノード及びリーフを含む様々な分岐を含むことができる。したがって、ＡＮＤＳＦ  Ｍは、HomeNetworkPreferenceデータ、S2bConnectivityPreferenceデータ、HPLMN_ePDG_Preferenceフラグ、PreferredFQDNsデータ、サービスプロバイダデータ、ＦＱＤＮデータ、優先順位データ、Default_FQDNデータ、Visited_ePDG_SPLリストを含む。
【００４５】
具体的には、いくつかの実施形態では、HomeNetworkPreferenceノード３０２は、ホームオペレータプリファレンスを提供することができる。HomeNetworkPreferenceノード３０２は、多くのノードとそれに付属したリーフを有することができる。S2bConnectivityPreferenceノード３０４は、HomeNetworkPreferenceノード３０２と接続されることができ、様々な異なるシナリオにおいてＳ２ｂ接続及びｅＰＤＧ選択の場合のホームオペレータプリファレンスを示すことができる。ＰＤＮ  ＧＷは、信頼されていないアクセスの場合にＳ２ｂインタフェースを使用してｅＰＤＧに接続されることができる。例えば、S2bConnectivityPreferenceノード３０４は、<X>/HomeNetworkPreference?/<X>/S2bConnectivityPreferenceとしてＭＯのＸＭＬフォーマット内に定義され得る。
【００４６】
S2bConnectivityPreferenceノード３０４は、他のノード及びリーフと接続されることができる。１つのそのようなリーフは、HPLMN_ePDG_Preferenceフラグ３０６であり、これは１に設定されるあるいは０にリセットされ得る。HPLMN_ePDG_Preferenceフラグ３０６がセット（１に設定）されたことに応答して、ＵＥは、ホームオペレータがローミングシナリオにおいてＵＥがＨＰＬＭＮ  ｅＰＤＧに接続することを優先することを決定することができる。
【００４７】
Default_FQDNリーフ３１６も、S2bConnectivityPreferenceノード３０４と接続されることができる。Default_FQDNリーフ３１６は、ＵＥが任意のアクセス技術のいかなるＰＬＭＮに接続されていない場合に使用されるＦＱＤＮを示すことができる。
【００４８】
Visited_ePDG_SPLリスト３１８も、S2bConnectivityPreferenceノード３０４と接続されることができる。Visited_ePDG_SPLリスト３１８は、オペレータの在圏サービスプロバイダリストを含むことができる。ＵＥが在圏サービスプロバイダリスト内の任意のＰＬＭＮにローミングするときに、ＵＥが在圏ＰＬＭＮのｅＰＤＧに接続できる場合。
【００４９】
PreferredFQDNsノード３０８も、S2bConnectivityPreferenceノード３０４と接続されることができる。PreferredFQDNsノード３０８は、ＨＰＬＭＮによって優先される異なるＰＬＭＮに対応するＦＱＤＮの優先リストを提供することができる。ＵＥは、このリストを使用して、ＵＥが接続されるＰＬＭＮに基づいてＦＱＤＮを構築することができる。PreferredFQDNsノード３０８は、サービスプロバイダリーフ３１０、ＦＱＤＮリーフ３１２、及び優先順位リーフ３１４と接続されることができる。サービスプロバイダリーフ３１０は、在圏オペレータのＰＬＭＮ識別子を提供することができる。ＦＱＤＮリーフ３１２は、ＤＮＳベースのメカニズムを使用して所望のｅＰＤＧのＩＰアドレスを取得するのに使用され得るＦＱＤＮを提供することができる。ＵＥは、ローミングシナリオにおいてこのｅＰＤＧに接続することができる。優先順位リーフ３１４は、リスト内のＰＬＭＮの優先順位を示すことができる。したがって、優先順位リーフ３１４は、ＵＥが所与のエリア内でローミングできる複数のＶＰＬＭＮがある場合に、使用するＶＰＬＭＮの優先順位を示すことができる。例えば、優先順位リーフ３１４は、<X>/HomeNetworkPreference?/<X>/S2bConnectivityPreference/<X>/PreferredFQDNs/<X>/PriorityとしてＭＯのＸＭＬフォーマット内に定義され得る。
【００５０】
ローミングシナリオにおいてｅＰＤＧ選択の場合にＡＮＤＳＦ（又はＡＮＱＰ）を使用して提供される更新に追加して、又はその代わりに、更新はＲＡＮルールに基づくことができる。いくつかの実施形態では、ＡＮＤＳＦルールとＲＡＮルールの両方が存在する場合、ＡＮＤＳＦルールを使用して更新を得ることができるように、更新を優先順位付けすることができる。そのような実施形態では、ＡＮＤＳＦルールがなく、ＵＥがＶＰＬＭＮからのＲＡＮルールを使用している場合、ＵＥは、ローミングシナリオにおいて利用可能な静的又は事前設定されたＨＰＬＭＮ設定を使用し、ｅＰＤＧ選択用のＨＰＬＭＮ設定を適用することができる。
【００５１】
いくつかの実施形態では、ＵＥは、ＡＮＱＰクエリの一部として返された情報を使用して、どのｅＰＤＧに接続するかを決定することができる。ＵＥがＡＮＱＰを使用してＡＰに問い合わせるとき、ＵＥはネットワークにコミットする必要がない利用可能なサービスの記述を受信することができる。ＡＮＱＰクエリは、ＵＥへの応答がジェネリックコンテナを使用することを示す情報ＩＤフィールドを含むことができる。ＵＥがＳ２ｂインタフェースを介してサポートされる接続オプションに関する一組のパラメータ及び情報を要求することができるジェネリックＷＬＡＮコンテナを定義することができる。ジェネリックＷＬＡＮコンテナは、ＷＬＡＮアクセスネットワークが、ＡＮＤＳＦ定義情報などの情報を含む、３ＧＰＰ  ＥＰＣ（Enhanced  Packet  Core）に接続することを可能にする情報を含むことができる。
【００５２】
図４は、いくつかの実施形態に従う、一般的なＷＬＡＮコンテナ構造を示す。ジェネリックＷＬＡＮコンテナ４００は、バージョンフィールド４０２、ヘッダ長フィールド４０４、及び複数の情報要素識別子（ＩＥＩ）を含むペイロードフィールド４０６を含むことができる。
【００５３】
ジェネリックＷＬＡＮコンテナ４００は、いくつかの異なるバージョンを有することができる。したがって、バージョンフィールド４０２は、ジェネリックＷＬＡＮコンテナのバージョンを定義することができる。バージョンフィールド４０２は、１オクテットの長さを有するフィールドを使用して定義されることができる。例えば、ジェネリックＷＬＡＮコンテナのバージョン１は、００００００００によって定義され、他のバージョンは同様にして定義される。未使用の値は、将来の（おそらく二重目的の）使用のために予約され得る。したがって、未使用の値を使用して、バージョン番号及びバージョン番号と関連付けられていない他の情報を示すことができる。
【００５４】
ヘッダ長フィールド４０４は、長さがフィールド２オクテットを含むことができる。ヘッダ長フィールド４０４は、ジェネリックＷＬＡＮコンテナ４００内のヘッダ長さの後のオクテット数を定義することができる。したがって、ヘッダ長フィールド４０４は、ペイロードフィールド４０６の長さを示すことができる。
【００５５】
ペイロードフィールド４０６は、内容が３ＧＰＰ仕様、具体的には技術仕様書２３．２３４で定義されているジェネリックコンテナとすることができる。ペイロードフィールド４０６内の各ＩＥＩは、関連付けられた情報要素の内容を定義することができる。例として上記のホームオペレータプリファレンスを使用すると、０００００００１のＩＥＩは、ＩＥがHPLMN_ePDG_Preferenceを提供することを示し、０００００００２のＩＥＩは、ＩＥがDefault_FQDNを提供することを示し、０００００００３のＩＥＩは、ＩＥが優先ＦＱＤＮの数を提供することを示し、０００００００４のＩＥＩは、ＩＥが、サブコンテナ内の各エントリがＰＬＭＮ−ＩＤ、ＦＱＤＮ、及び優先順位を含むことができる優先ＦＱＤＮの数に対するサブコンテナの長さを提供することを示すことができ、０００００００５のＩＥＩは、ＩＥが優先在圏サービスプロバイダの数を提供することを示すことができ、０００００００６のＩＥＩは、ＩＥが、サブコンテナ内の各エントリがＰＬＭＮ−ＩＤ及び優先順位を含むことができる優先在圏サービスプロバイダの数に対するサブコンテナの長さを提供することを示すことができ、０００００００７〜１１１１１１１１のＩＥＩは、将来の使用のために予約され得る。各ＩＥＩについて、最初のオクテットはＩＥ識別子であり、その後にＩＥＩの長さが続き、次いで任意の他のＩＥＩ特定フィールドが続く。
【００５６】
図５は、いくつかの実施形態によるｅＰＤＧ選択のフローチャートを示す。上述のように、図５に示す動作は、緊急サービスシナリオにさらに適用することができる。図５に示す方法は、例えば、図１又は図２に示すＵＥによって使用され得る。
【００５７】
動作５００では、ＵＥは、どのｅＰＤＧを選択するかを示す情報を取得することができる。いくつかの実施形態では、ＵＥのメモリに記憶された設定ファイル内の静的又は事前設定された情報を使用することができる。いくつかの実施形態では、例えば、ＷＬＡＮネットワークにアクセスするときに、例えば大気を介してホームオペレータから取得された動的情報が使用され得る。いくつかの実施形態では、動的情報と静的情報の両方がＵＥに利用可能であり、その場合、動的情報（最新である可能性が高い）が静的情報よりも優先され、静的情報の代わりに使用され得る。
【００５８】
動的情報が使用される場合、ＵＥはＡＮＤＳＦ情報を取得しようと試みることができる。成功した場合、ＵＥはＡＮＤＳＦ情報を使用することができる。ＡＮＤＳＦ情報にアクセスすることができない場合、又はＡＮＤＳＦ情報を他の方法で使用しない場合、ＵＥはＡＮＱＰを使用して選択情報を取得しようと試みることができる。ＡＮＱＰを使用して選択情報を取得できる場合、ＵＥはＡＮＱＰによって得られた選択情報を適用することができる。動的情報をＵＥが取得することができない場合、又はＵＥがＲＡＮルールを使用する場合、ＵＥは静的又は事前設定された選択情報を代わりに適用することができる。
【００５９】
したがって、設定ファイルは、ｅＰＤＧ選択のためのルールを記憶するように設定され得る。設定ファイルは、ｅＰＤＧのリスト及び選択ルールを含む情報を記憶することができる。いくつかの実施形態では、ルールは、例えば、ネットワークに実装される、あるいは含まれる特定ネットワーク又はＲＡＴに基づいて、異なるタイプのｅＰＤＧ接続の場合の優先順位を示すことができる。設定ファイルによって記憶されるルールは、様々な方法で取得することができる。いくつかの実施形態では、設定ファイルは、事前セットアップされた（pre-provisioned）ルールを記憶することができる。例えば、設定ファイルによって記憶されるルールは、ＵＥの製造中又は初期プログラミング中に記憶され得る。いくつかの実施形態では、設定ファイルは、ルールをネットワーク設定要素と同期させるように設定されることができる。例えば、設定ファイル及びＡＮＤＳＦサーバは、ＵＥが在圏又はホームＡＮＤＳＦサーバと同じバージョンを有するように、ＵＥによって記憶されたＭＯの少なくとも一部を同期させることができる。設定ファイルは、ＭＯの少なくとも一部を格納することによってルールを記憶することができる。いくつかの実施形態では、ＭＯをＵＥの起動時にＡＮＤＳＦサーバと同期させることができる。いくつかの実施形態では、設定ファイルがＭＯの最新バージョンを記憶するように、ＭＯを動的に同期させることができる。例えば、ＡＮＤＳＦサーバは、ＭＯが変更又は更新されたことを示すメッセージをＵＥに送信することができ、ＵＥは、ＭＯを同期させるためにＡＮＤＳＦサーバに接続することができる。いくつかの実施形態では、帯域幅を節約するために変更されたＭＯの部分のみがＵＥに送信され、及び／又はＷｉ−Ｆｉ  ＲＡＮ又はＷｉＭＡＸ  ＲＡＮなどの代替ネットワーク接続を介してＭＯが更新され得る。
【００６０】
設定ファイルは、ＭＯ内でルールを取得及び／又は格納することができる。例えば、ルールを、ＡＮＤＳＦ  ＭＯを含む構造で取得及び／又は格納することができる。いくつかの実施形態では、ＭＯを、オープンモバイルアライアンス（ＯＭＡ）デバイス管理（ＤＭ）準拠とすることができる。いくつかの実施形態では、ＭＯ内のルール及び／又はポリシーを、ＸＭＬ（eXtensible  Markup  Language）形式で保存又は表示することができる。いくつかの実施形態では、ＡＮＤＳＦ  ＭＯは、ＸＭＬ形式のプリファレンスを含む。例えば、ポリシー及びプリファレンスを、ＸＭＬに従ってフォーマットされた分岐及びリーフ構造に編成することができる。プリファレンスは、ＩＳＭＰ及びＩＳＲＰのうちの１つ以上に含まれ得る。
【００６１】
動作５０２において、ＵＥは、ローミングしているかどうかを決定することができる。  ＵＥは、例えば、位置に基づいて、ローミングしているかどうか、すなわち、そのホーム網の外にいて、他のオペレータのネットワークからのリソースを使用しているかを決定することができる。
【００６２】
動的情報が使用されるか静的情報が使用されるかにかかわらず、得られた情報は、PreferredFQDNリストを含むことができる。この情報は、オペレーション５０４で使用され、そこでは、PreferredFQDNリスト内のサービスプロバイダによって特定されるため、ＵＥがＰＬＭＮにアタッチ（attached）されるか（どうかをＵＥは決定することができる。複数のＰＬＭＮが利用可能である場合、ＵＥは、PreferredFQDNリストを使用して、アタッチする最高優先順位ＰＬＭＮを選択することができる。
【００６３】
オペレーション５０４で、PreferredFQDNリスト内のサービスプロバイダによって指定されるため、ＵＥがＰＬＭＮにアタッチされるとＵＥが決定した場合、オペレーション５０６で、ＵＥは最高優先順位ＰＬＭＮに対応するＦＱＤＮを決定することができる。その後、ＵＥは、ドメインネームシステム（ＤＮＳ）メカニズムを使用して、最高優先順位ＰＬＭＮのｅＰＤＧのＩＰアドレスを取得することができる。その後、ＵＥは、最高優先順位ＰＬＭＮのｅＰＤＧに接続することができる。
【００６４】
ＵＥが在圏サービスプロバイダネットワーク内でローミングしているので、ＵＥは、オペレーション５０８で、ＵＥがこの在圏サービスプロバイダ（ＶｅＰＤＧ）に対応するｅＰＤＧを使用すべきであることをＨＰＬＭＮが指示したかどうかを決定することができる。取得された情報を使用して決定されるため、HPLMN_ePDG_Preferenceが０に設定されているかどうかに基づいて、ＵＥはこの決定を行うことができる。
【００６５】
オペレーション５０８で、ＵＥがＶｅＰＤＧを使用すると決定した場合、ＵＥは、ＶＰＬＭＮに基づいてＦＱＤＮを作成することができる。その後、ＵＥは、オペレーション５１０で、作成されたＦＱＤＮを使用してＶｅＰＤＧに接続することができる。
【００６６】
ＵＥがいかなるＰＬＭＮにも接続することができないとＵＥが決定した場合、ＵＥは、取得された情報からデフォルトＦＱＤＮを抽出することができる。デフォルトＦＱＤＮは、特定ＰＬＭＮに対応することができる。そして、ＵＥは、オペレーション５１６で、デフォルトのＦＱＤＮを使用して、特定ＰＬＭＮに対応するｅＰＤＧに接続することができる。
【００６７】
ＵＥが、オペレーション５０８で、ＨＰＬＭＮがＵＥがＶｅＰＤＧを使用すべきではないと指示したか、すなわちHPLMN_ePDG_Preferenceが１に設定されていると決定した場合、ＵＥは、オペレーション５１８で、ホームオペレータ（ＨｅＰＤＧ）のＦＱＤＮに対応するｅＰＤＧに接続する。同様に、ＵＥがローミングしておらず、ＨＰＬＭＮ内にある場合、ＵＥは、ホームオペレータのＦＱＤＮに対応するｅＰＤＧに接続することができる。さらに、ＵＥは、オペレーション５０４，５１０又は５１４の失敗を検出することができ、エラーがある場合、ＵＥはステップ５に直接進む。
【００６８】
図５に示していないが、いくつかの実施形態では、ｅＰＤＧが緊急サービスをサポートしているかどうかが、ｅＰＤＧを選択するかどうかを決定する要因となり得る。例えば、説明した操作に従って選択されたｅＰＤＧが緊急サービスをサポートする場合、ｅＰＤＧを選択することができる。いくつかの実施形態では、緊急ＦＱＤＮに基づいたｅＰＤＧを選択することができる。
【００６９】
いくつかの実施形態では、ＵＥは、競合解決のために異なるソースから得られたｅＰＤＧ選択情報を優先順位をつけることができる。例えば、ＵＥは、メモリ（ＵＩＣＣ、ＭＥメモリ等）及びＡＮＤＳＦ  ＭＯにおいてｅＰＤＧ選択情報を有することができる。そのような実施形態の１つでは、メモリ内の情報がＡＮＤＳＦ  ＭＯ情報よりも優先され得る。
【００７０】
したがって、いくつかの実施形態では、第１の動作において、ＨｅＰＤＧ識別子がＵＥに供給される場合、ＵＥは、設定されたＩＰアドレスを使用してＨｅＰＤＧを選択することができる。代替的には、ＵＥは、設定されたＦＱＤＮを使用して、ＨＰＬＭＮ内のｅＰＤＧの（複数の）ＩＰアドレスを取得するためにＤＮＳクエリを実行することができる。
【００７１】
第２の動作では、ＨｅＰＤＧ識別子がＵＥに供給されていない場合、ＵＥはＰＬＭＮにアタッチされ、このＰＬＭＮはＵＥ内のｅＰＤＧ選択情報に見出され、ＵＥはＰＬＭＮのｅＰＤＧを選択することができる（ＶｅＰＤＧ）。そうでなければ、ＵＥは、デフォルトＰＬＭＮのｅＰＤＧを選択することができる。
【００７２】
第３の動作では、ＨｅＰＤＧ識別子がＵＥに供給されておらず、ＵＥがＰＬＭＮにアタッチされていない場合、ＵＥはＨｅＰＤＧを選択することができる。ＨＰＬＭＮ  ＦＱＤＮがＵＥに記憶されている場合、ＵＥは記憶された情報からＨｅＰＤＧ  ＦＱＤＮを構築することができる。そうでなければ、ＵＥは、ＨＰＬＭＮのオペレータＰＬＭＮ  ＩＤからオペレータ識別子ＦＱＤＮを構築し、そして、ｅＰＤＧ  ＩＰアドレスを取得するためにＤＮＳクエリを実行することができる。
【００７３】
本開示の様々な例を以下に示す。これらの例は、本明細書における開示を決して限定することを意図するものではない。例１では、ユーザ機器（ＵＥ）の装置であって、非セキュアネットワークのアクセスポイント（ＡＰ）を介して第３世代パートナーシッププロジェクトロングタームエボリューション（３ＧＰＰ  ＬＴＥ）ネットワークと通信するように構成された送受信機と、処理回路であって、ＵＥがＶＰＬＭＮ（visited  public  land  mobile  network）にローミングし、前記ＡＰに接続しようと試みているときに、接続しようと試みるＨＰＬＭＮ（home  public  land  mobile  network）進化型パケットデータゲートウェイ（ｅＰＤＧ）(ＨｅＰＤＧ)及びＶＰＬＭＮ  ｅＰＤＧ（ＶｅＰＤＧ）のうちのいずれかについて示すｅＰＤＧ選択情報を取得し、前記送受信機を設定して、前記送受信機が前記ｅＰＤＧ選択情報によって示される前記ＨｅＰＤＧ及び前記ＶｅＰＤＧのうちの１つに接続するように、構成された処理回路と、を含む装置。
【００７４】
例２では、例１の主題は、ｅＰＤＧ選択情報がメモリに記憶された設定ファイル内の事前設定情報であり、ｅＰＤＧ選択情報はｅＰＤＧのリスト及び選択ルールを含む、ことを任意で含むことができる。
【００７５】
例３では、例１〜２のうちの１つ又は任意の組み合わせの主題は、処理回路がさらに、ＡＮＤＳＦ（Access  Network  Discovery  and  Selection  Function）サーバからｅＰＤＧ選択情報を取得するように構成されている、ことを任意で含むことができる。
【００７６】
例４では、例１〜３のうちの１つ又は任意の組み合わせの主題は、ｅＰＤＧ選択情報が動的情報か静的情報かに関係なく、ｅＰＤＧ選択情報がＡＮＤＳＦ管理オブジェクト（ＭＯ）を含む、ことを任意で含むことができる
例５では、例１〜４のうちの１つ又は任意の組み合わせの主題は、処理回路がさらに、送受信機を設定して、送受信機が無線ローカルエリアネットワーク（ＷＬＡＮ）アクセスネットワーククエリプロトコル（ＡＮＱＰ）を使用して、ＡＰを介してｅＰＤＧ選択情報を取得するように構成され、ＡＮＱＰ応答は、ＷＬＡＮネットワークによってサポートされたＰＬＭＮ（public  land  mobile  network）識別子のリストと、オペレータがＳ２ｂをサポートし、１つ以上のｅＰＤＧが配置されているかを含む、ことを任意で含むことができる。
【００７７】
例６では、例１〜５の１つ又は任意の組み合わせの主題は、ＡＮＱＰクエリが、ＵＥへのＡＮＱＰ応答がジェネリックコンテナを使用することを示す情報ＩＤフィールドを含み、ジェネリックコンテナは、ジェネリックコンテナのバージョンを示すバージョンフィールドと、ヘッダ長フィールドの長さの後のオクテット数を定義するヘッダ長フィールドと、複数の情報要素識別子（ＩＥＩ）を含むペイロードフィールドとを含む、ことを任意で含むことができる。
【００７８】
例７では、例１〜６の１つ又は任意の組み合わせの主題は、ｅＰＤＧ選択情報は、メモリに記憶された無線アクセスネットワーク（ＲＡＮ）ルールを使用して選択され、ｅＰＤＧ選択情報は、ｅＰＤＧのリスト及び選択ルールを含む、ことを任意で含むことができる。
【００７９】
例８では、例１〜７の１つ又は任意の組み合わせの主題は、ＵＥはさらにメモリを含み、ｅＰＤＧ選択情報は、メモリに記憶された設定ファイル内の事前設定された情報であり、処理回路は、送受信機を設定して、送受信機がサーバからＡＰを介してｅＰＤＧ選択情報を動的に取得するようにし、ｅＰＤＧ選択情報を動的に取得することができない場合、メモリからｅＰＤＧ選択情報を取得する、ように構成されている、ことを任意で含むことができる。
【００８０】
例９では、例８の主題は、処理回路は、送受信機を設定して、送受信機がＡＮＤＳＦ（Access  Network  Discovery  and  Selection  Function）サーバを使用してＡＰを介してｅＰＤＧ選択情報を動的に取得するようにし、送受信機を設定して、送受信機がｅＰＤＧ選択情報をＡＮＤＳＦサーバから取得することができない場合、無線ローカルエリアネットワーク（ＷＬＡＮ）アクセスネットワーククエリプロトコル（ＡＮＱＰ）を使用してｅＰＤＧ選択情報を動的に取得するように、さらに構成された、ことを任意で含むことができる。
【００８１】
例１０では、例１〜９の１つ又は任意の組み合わせの主題は、ａ）ＵＥがローミングしていないと判定したことに応答して、ａ）処理回路は、ＨｅＰＤＧ及びドメインネームサーバ（ＤＮＳ）ベースのメカニズムの完全修飾ドメイン名（ＦＱＤＮ）を使用してインターネットプロトコル（ＩＰ）アドレスを取得し、送受信機を設定して、送受信機がＩＰアドレスを使用してＡＰを介してＨｅＰＤＧに接続する、ようにさらに構成され、ｂ）ＵＥがＶｅＰＤＧに接続することを決定することに応答して、ＶＰＬＭＮに基づいて完全修飾ドメイン名（ＦＱＤＮ）を作成し、ＶｅＰＤＧのＦＱＤＮに基づいてＶｅＰＤＧに接続するのであって、（ａ）及び（ｂ）のうちの少なくとも１つが実行される、ことを任意で含むことができる。
【００８２】
例１１では、例１〜１０の１つ又は任意の組み合わせの主題は、ｅＰＤＧ選択情報が動的情報又は静的情報を含むかどうかに関係なく、ｅＰＤＧ選択情報は、ＨＰＬＭＮポリシーが優先されず、複数の順位付けされたＶＰＬＭＮを含むリストを含む、ことを任意で含むことができる。
【００８３】
例１２では、例１１の主題は、処理回路は送受信機を設定して、送受信機が、リストのうちの複数の優先順位付けされたＶＰＬＭＮの最高優先順位ＶＰＬＭＮの完全修飾ドメイン名（ＦＱＤＮ）を生成し、ドメインネームサーバ（ＤＮＳ）メカニズムを使用して、最高優先順位ＶＰＬＭＮのｅＰＤＧのインターネットプロトコル（ＩＰ）アドレスを取得し、取得されたＩＰアドレスを使用してＡＰを介して最高優先順位ＰＬＭＮのｅＰＤＧに接続する、ようにさらに構成された、ことを任意で含むことができる。
【００８４】
例１３では、例１〜１２の１つ又は任意の組み合わせの主題は、ｅＰＤＧ選択情報は、HPLMN_ePDG_Preferenceフラグを含み、処理回路は、ＵＥがローミングしているとの決定に応答して、ＵＥがHPLMN_ePDG_Preferenceフラグの設定に依存して、ＵＥがＶｅＰＤＧを使用することをＨＰＬＭＮが指示したかどうかを決定するようにさらに構成された、ことを任意で含むことができる。
【００８５】
例１４では、例１〜１３の１つ又は任意の組み合わせの主題は、処理回路は、ＵＥがいかなるＰＬＭＮにも接続できないと決定し、ＵＥがいかなるＰＬＭＮに接続できないとの決定に応答して、特定ＰＬＭＮに対応するデフォルト完全修飾ドメイン名（ＦＱＤＮ）をｅＰＤＧ選択情報から抽出し、デフォルトＦＱＤＮに基づいてＡＰを介して特定ＰＬＭＮに対応するｅＰＤＧに接続する、ようにさらに構成された、ことを任意で含むことができる。
【００８６】
例１５では、例１〜１４の１つ又は任意の組み合わせの主題は、処理回路は、ＵＥによってボイスオーバＷｉＦｉ（ＶｏＷｉＦｉ）サービスが所望されていると判定したことに応答して、ＶｏＷｉＦｉサービスの使用を許可するＶＰＬＭＮとＨＰＬＭＮとの間のローミング契約、及びＶＰＬＭＮとＨＰＬＭＮとの間のローミング契約でＶｏＷｉＦｉサービスの使用を許可する場合、ＶｏＷｉＦｉサービスがＶＰＬＭＮによって配備され、有効であるかどうか、に基づいて、ＨｅＰＤＧ又はＶｅＰＤＧうちのいずれかに接続するかを決定するように構成された、ことを任意で含むことができる。
【００８７】
例１６では、例１〜１５の１つ又は任意の組み合わせの主題は、送受信機とＡＰとの間で通信を送信及び受信するように構成されたアンテナを任意で含むことができる。
【００８８】
例１７は、アクセスポイント（ＡＰ）の装置であって、第３世代パートナーシッププロジェクトロングタームエボリューション（３ＧＰＰ  ＬＴＥ）ネットワーク及びユーザ機器（ＵＥ）と通信するように構成された送受信機と、処理回路であって、送受信機を設定して、送受信機がＡＮＤＳＦ（Access  Network  Discovery  and  Selection  Function）サーバから、あるいは無線ローカルエリアネットワーク（ＷＬＡＮ）アクセスネットワーククエリプロトコル（ＡＮＱＰ）クエリに応答して、接続しようと試みるＨＰＬＭＮ（home  public  land  mobile  network）進化型パケットデータゲートウェイ（ｅＰＤＧ）（ＨｅＰＤＧ）及びＶＰＬＭＮ  ｅＰＤＧ（ＶｅＰＤＧ）のうちのいずれかについて示すｅＰＤＧ選択情報をＵＥに送信するようにし、送受信機を設定して、送受信機がＵＥをｅＰＤＧ選択情報によって示されるＨｅＰＤＧ及びＶｅＰＤＧのうちの１つに接続するように、構成された処理回路と、を含む装置。
【００８９】
例１８では、例１７の主題は、処理回路が、送受信機を設定して、送受信機がＡＮＤＳＦ管理オブジェクト（ＭＯ）を使用して、ＡＮＤＳＦサーバからのｅＰＤＧ選択情報を送信するようにさらに構成され、ＡＮＤＳＦ  ＭＯは、HomeNetworkPreferenceデータ、S2bConnectivityPreferenceデータ、HPLMN_ePDG_Preferenceフラグ、PreferredFQDNsデータ、サービスプロバイダデータ、ＦＱＤＮデータ、優先順位データ、Default_FQDNデータ及びVisited_ePDG_SPLリストを含む、ことを任意で含むことができる。
【００９０】
例１９では、処理回路は、送受信機を設定して、送受信機が、ＷＬＡＮネットワークによってサポートされたＰＬＭＮ（Public  land  mobile  network）識別子のリストと、どのオペレータがＳ２ｂをサポートし、１つ以上のｅＰＤＧが配置されているか、を含むＷＬＡＮ  ＡＮＱＰ応答を使用して、ｅＰＤＧ選択情報を送信するようにさらに構成された、ことを任意で含むことができる。
【００９１】
例２０では、例１９の主題は、ＡＮＱＰクエリは、ＵＥへのＡＮＱＰ応答がジェネリックコンテナを使用することを示す情報ＩＤフィールドを含み、ジェネリックコンテナは、ジェネリックコンテナのバージョンを示すバージョンフィールドと、ヘッダ長フィールド長さの後のオクテット数を定義するヘッダ長フィールドと、複数の情報要素識別子（ＩＥＩ）を含むペイロードフィールドとを含む、、ことを任意で含むことができる。
【００９２】
例２１では、例１７〜２０の１つ又は任意の組み合わせの主題は、ＵＥがローミングしておらず、処理回路は送受信機を設定して、送受信機がＨｅＰＤＧ及びドメインネームサーバ（ＤＮＳ）ベースのメカニズムの完全修飾ドメイン名（ＦＱＤＮ）を使用して取得されたインターネットプロトコル（ＩＰ）アドレスに基づいてＵＥをＨｅＰＤＧに接続するようにさらに構成された、ことを任意で含むことができる。
【００９３】
例２２では、例１７〜２１の１つ又は任意の組み合わせの主題は、（ａ）ｅＰＤＧ選択情報は、ＨＰＬＭＮポリシーが優先されない、複数の順位付けされたＶＰＬＭＮを含むリストを含み、処理回路は、送受信機を設定して、送受信機が、ドメインネームサーバ（ＤＮＳ）メカニズムを使用して、リストの複数の優先順位付けされたＶＰＬＭＮの最高優先順位ＶＰＬＭＮのｅＰＤＧのインターネットプロトコル（ＩＰ）アドレスをＵＥに送信し、ＩＰアドレスを使用して、最高優先順位ＰＬＭＮのｅＰＤＧにＵＥを接続する、ようにさらに構成され、（ｂ）ｅＰＤＧ選択情報は、ローミングしているときに、ＵＥがHPLMN_ePDG_Preferenceフラグの設定に依存してＶｅＰＤＧを使用することをＨＰＬＭＮが指示したかどうかを決定することを許可するHPLMN_ePDG_Preferenceフラグを含み、（ａ）及び（ｂ）のうちの少なくとも１つが実行される、ことを任意で含むことができる。
【００９４】
例２３では、ユーザ機器（ＵＥ）の１つ以上のプロセッサによる実行のための命令を記憶するコンピュータ読み取り可能記憶媒体であって、１つ以上のプロセッサはＵＥを設定して、ＵＥが非セキュアネットワークのアクセスポイント（ＡＰ）を介して第３世代パートナーシッププロジェクトロングタームエボリューション（３ＧＰＰ  ＬＴＥ）ネットワークと通信するようにし、１つ以上のプロセッサはＵＥを設定して、ＵＥが、ＵＥがローミングしていないとき、ＡＰを介してＨＰＬＭＮ（home  public  land  mobile  network）ｅＰＤＧ（ＨｅＰＤＧ）に接続し、ＵＥがローミングしているとき、接続しようと試みるＨｅＰＤＧとＶＰＬＭＮ（visited  land  mobile  network）進化型パケットデータゲートウェイ（ｅＰＤＧ）（ＶｅＰＤＧ）のうちのいずれについて示すｅＰＤＧ選択情報を取得し、ｅＰＤＧ選択情報によって示されるＨｅＰＤＧ及びＶｅＰＤＧのうちのどちらかにＡＰを介して接続し、ＵＥがローミングしており、いかなるＰＬＭＮにも接続できないとき、特定ＰＬＭＮに対応するデフォルト完全修飾ドメイン名（ＦＱＤＮ）をｅＰＤＧ選択情報から抽出し、デフォルトＦＱＤＮに基づいてＡＰを介して特定ＰＬＭＮに対応するｅＰＤＧに接続する、ようにする、媒体。
【００９５】
例２４では、例２３の主題は、ｅＰＤＧ選択情報は、ｅＰＤＧのリスト及び選択ルールを含み、ｅＰＤＧ選択情報は、ＵＥのメモリに記憶された設定ファイル内の事前設定された情報である、あるいはＡＮＤＳＦ（Access  Network  Discovery  and  Selection  Function）サーバから、あるいは無線ローカルエリアネットワークによってサポートされたＰＬＭＮ識別子のリストと、どのオペレータがＳ２ｂをサポートし、１つ以上のｅＰＤＧが配置されているかを含むＷＬＡＮアクセスネットワーククエリプロトコル（ＡＮＱＰ）応答からＡＰを通じて取得された動的情報であって、ｅＰＤＧ選択情報が動的に取得できないときはその後にメモリから取得されるものであることを任意で含むことができる。
【００９６】
例２５では、例２３又は２４の主題は、ｅＰＤＧ選択情報が動的情報又は静的情報を含むかどうかに関係なく、ｅＰＤＧ選択情報は、ＨＰＬＭＮポリシーが優先されない、複数の順位付けされたＶＰＬＭＮを含むリストを含み、１つ以上のプロセッサはＵＥを設定して、ＵＥがリストの複数の優先順位付けされたＶＰＬＭＮの最高優先順位ＶＰＬＭＮの完全修飾ドメイン名（ＦＱＤＮ）を作成し、ドメインネームサーバ（ＤＮＳ）メカニズムを使用して、最高優先順位ＶＰＬＭＮのｅＰＤＧのインターネットプロトコル（ＩＰ）アドレスを取得し、取得されたＩＰアドレスを使用してＡＰを介して最高優先順位ＰＬＭＮのｅＰＤＧに接続する、ようにする、ことを任意で含むことができる。
【００９７】
特定の例示的な実施形態を参照して実施形態を説明したが、本開示のより広い精神及び範囲から逸脱することなく、これらの実施形態に対して様々な修正及び変更を行うことができることは明らかであろう。したがって、明細書及び図面は、限定的な意味ではなく例示的な意味で考慮されるべきである。本明細書の一部を形成する添付の図面は、限定ではなく例示として、主題を実施することができる特定の実施形態を図示する。示した実施形態は、当業者が本明細書に開示された教示を実施できるように十分詳細に説明している。本開示の範囲から逸脱することなく、構造的及び論理的な置換及び変更を行うことができるように、他の実施形態を利用し、そこから導出することができる。したがって、この詳細な説明は、限定的な意味で解釈されるべきではなく、様々な実施形態の範囲は、添付の特許請求の範囲及びそのような特許請求の範囲に含まれる等価物の全範囲とともに定義される。
【００９８】
本発明の主題のそのような実施形態を、便宜上だけの目的で、かつ、２つ以上のものが現に開示されている場合に、本願の範囲を任意の単一の発明又は発明的概念に自発的に限定しようとすることなく、個別に及び／又はまとめて、本明細書において「発明」と称することがある。したがって、特定の実施形態を本明細書に図示し説明してきたが、同じ目的を達成するために計算された任意の構成を、示した特定の実施形態に置き換えることができると理解されたい。本開示は、様々な実施形態の任意の及びすべての適合又は変形を網羅することを意図している。上記の実施形態の組み合わせ、及び本明細書に具体的に記載されていない他の実施形態は、上記の説明を検討することにより当業者には明らかであろう。
【００９９】
本文書では、特許文献において一般的であるように、「１つ（「a」又は「ａｎ」）」という用語は、「少なくとも１つ（at  least  one）」又は「１つ以上（one  or  more）」の任意の他のインスタンス又は使用とは関係なく、１つ以上を含むように使用される。本文書において、「又は（or）」という用語は、特に明記しない限り、「Ａ又はＢ」は「ＡではあるがＢではない」、「ＢではあるがＡではない」、及び「ＡとＢ」を含む非排他的論理和を指すのに使用される。本文書では、「含む（including）」及び「ここで（in  which）」という用語は、それぞれ「含む（comprising）」及び「ここで（wherein）」の平易な英語の等価物として使用される。また、以下の特許請求の範囲において、「含む（including）」及び「含む（comprising）」という用語は、開放型であり、すなわち、請求項内においてその用語の後に列挙された要素に対してさらに要素を含むシステム、ＵＥ、物品、構成物、構築物、処理は依然としてそのクレームの範囲内にあるとみなされる。さらに、以下の特許請求の範囲において、「第１」、「第２」、「第３」等の用語は単にラベルとして使用され、それらのオブジェクトに数値的な要件を課すことを意図していない。
【０１００】
本開示の要約は、要約が読者により技術的開示の性質を迅速に確認できるようにするものであることを要求する３７  Ｃ．Ｆ．Ｒ．§１．７２（ｂ）に準拠するように提供されている。その要約は、特許請求の範囲又は意味を解釈又は制限するのには使用されないとの理解で提出されている。追加的に、上記の詳細な説明では、本開示を合理化する目的で、単一の実施形態において様々な特徴がまとめてグループ化されていることが分かる。本開示の方法は、特許請求の範囲に記載された実施形態が各請求項に明示的に規定されたものよりも多くの特徴を必要とするものであるという意図を反映するものとして解釈されるべきではない。むしろ、以下の特許請求の範囲が反映するように、発明の主題は、単一の開示された実施形態のすべての特徴よりも少ないものである。したがって、以下の請求項は、詳細な説明に組み込まれ、各請求項は、別個の実施形態として独立して立っている。
【図１】
0006585188.tif 000002
【図２】
0006585188.tif 000003
【図３】
0006585188.tif 000004
【図４】
0006585188.tif 000005
【図５】
0006585188.tif 000006